(57)【要約】【課題】１つの操作リングのクリック感をワンタッチでオン／オフすることが出来る電子機器を提供する。【解決手段】本発明に係る電子機器は、回転操作可能な操作リング２と、操作リング２の回転にクリック感を与えるクリック感付与機構とを具え、該クリック感付与機構は、操作リング２に形成された複数の凹部21と、複数の凹部21の配列と対向する位置に配備されて１つの凹部21に対して係脱すべきボール７と、一方の端部にボール７を保持して該ボール７を操作リング２側に付勢するコイルバネ61とを具えている。クリック感付与機構には、コイルバネ61による付勢力を変化させる制御機構が連繋し、該制御機構は、２位置間の往復操作が可能な操作片３と、コイルバネ61の他方の端部を保持して該端部の位置を操作リング２に対する接近離間方向に変位させる可動駒50と、操作片３の移動を可動駒50の移動に変換する変換機構とを具えている。【選択図】図８
2014048350.tif 000002
【特許請求の範囲】
【請求項１】
所定の回転軸を中心として回転操作が可能な操作リングと、該操作リングの回転に対して一定のピッチでクリック感を与えるクリック感付与機構とを具え、該クリック感付与機構は、前記回転軸と直交する操作リングの１つの面に円周線に沿って繰り返し形成された複数の凹部と、前記複数の凹部の配列と対向する位置に配備されて１つの凹部に対して係脱すべきボールと、一方の端部に前記ボールを保持して該ボールを操作リング側に付勢するコイルバネとを具えている電子機器において、
前記クリック感付与機構には、前記コイルバネによる付勢力を変化させる制御機構が連繋し、該制御機構は、２位置間の往復操作が可能な操作片と、前記コイルバネの他方の端部を保持して該端部の位置を前記操作リングに対する接近離間方向に変位させる可動駒と、前記操作片の往復移動を前記可動駒の往復移動に変換する変換機構とを具えていることを特徴とする、操作リングを有する電子機器。
【請求項２】
前記コイルバネは、前記操作リングに対する接近離間方向へ移動可能に保持されている請求項１に記載の電子機器。
【請求項３】
前記変換機構は、カム機構によって構成されている請求項１又は請求項２に記載の電子機器。
【請求項４】
前記可動駒は、操作リングから離間する方向に弾性付勢されている請求項１乃至請求項３の何れかに記載の電子機器。
【発明の詳細な説明】
【技術分野】
【０００１】
本発明は、各種設定や調整のための操作リングを有する電子機器に関するものである。
【背景技術】
【０００２】
カメラ等の電子機器においては、回転操作可能な操作リングを設けて、該操作リングの回転角度に応じて、複数の調整値の中から１つの調整値を選択し設定することが行なわれている。この様な電子機器においては、操作リングの回転に対して一定ピッチでクリック感を与えることにより、回転角度の設定を容易とすることが行なわれる。
【０００３】
操作リングの回転に対して一定ピッチでクリック感を与えるクリック感付与機構としては、操作リングの内面に円周線に沿って複数の凹部を繰り返し形成し、１つの凹部に対して係脱すべきボールを凹部に向かってバネ付勢するものが知られている(特許文献１)。
【先行技術文献】
【特許文献】
【０００４】
【特許文献１】特開２０００−１５６１２９号公報
【発明の概要】
【発明が解決しようとする課題】
【０００５】
しかしながら、電子機器の各種設定や調整においては、上述の如く操作リングの回転に対して一定ピッチでクリック感を与えることが却って不適切となる場合がある。例えばカメラにおいては、鏡筒部分に光軸を包囲して操作リングが配備され、該操作リングの回転角度に応じたピント位置調節が行なわれるが、この様な操作リングの回転に対して一定ピッチでクリック感を与えると、そのピッチよりも小さな回転角度による微調整が不可能となり、所望のピント位置を正確に設定することが出来なくなる。
【０００６】
そこで従来は、クリック感を与える操作リングとクリック感を与えない操作リングとを２種類配備していたが、これによって操作リングの数が増え、機器の大形化を招く問題があった。
【０００７】
本発明の目的は、１つの操作リングでそのクリック感をワンタッチでオン／オフすることが出来る電子機器を提供することである。
【課題を解決するための手段】
【０００８】
本発明に係る電子機器は、所定の回転軸を中心として回転操作が可能な操作リング(２)と、該操作リング(２)の回転に対して一定のピッチでクリック感を与えるクリック感付与機構とを具え、該クリック感付与機構は、前記回転軸と直交する操作リング(２)の１つの面に円周線に沿って繰り返し形成された複数の凹部(21)と、前記複数の凹部(21)の配列と対向する位置に配備されて１つの凹部(21)に対して係脱すべきボール(７)と、一方の端部に前記ボール(７)を保持して該ボール(７)を操作リング(２)側に付勢するコイルバネ(61)とを具えている。
【０００９】
前記クリック感付与機構には、前記コイルバネ(61)による付勢力を変化させる制御機構が連繋し、該制御機構は、２位置間の往復操作が可能な操作片(３)と、前記コイルバネ(61)の他方の端部を保持して該端部の位置を前記操作リング(２)に対する接近離間方向に変位させる可動駒(50)と、前記操作片(３)の往復移動を前記可動駒(50)の往復移動に変換する変換機構とを具えている。
【００１０】
上記本発明の操作リングを有する電子機器によれば、操作片(３)を２位置間で往復操作することにより、該操作片(３)の移動が可動駒(50)の移動に変換され、これによって可動駒(50)は、操作リング(２)に接近した第１の位置と操作リング(２)から離間した第２の位置の間を往復移動する。
【００１１】
可動駒(50)が第１の位置に設定されている状態では、コイルバネ(61)の他方の端部(基端部)の位置が該可動駒(50)によって規定される結果、コイルバネ(61)は圧縮され、その反発力によってボール(７)を操作リング(２)側へ付勢する。
従って、十分なクリック感をもって操作リング(２)を回転させることが出来る。
【００１２】
これに対し、可動駒(50)が第２の位置に設定されている状態では、コイルバネ(61)の他方の端部(基端部)の位置が該可動駒(50)によって規定される結果、コイルバネ(61)は自由状態となって、ボール(７)は操作リング(２)側へ付勢されることはない。
従って、クリック感を伴うことなく操作リング(２)を回転させることが出来る。
【発明の効果】
【００１３】
本発明に係る操作リングを有する電子機器によれば、操作片の位置を２位置間で切り換えるだけのワンタッチ操作で操作リングに対するクリック感の有無を切り換えることが出来る。
【図面の簡単な説明】
【００１４】
【図１】図１は、本発明の一実施形態であるカメラにおいて操作片を第１の位置に設定した状態を示す斜視図である。
【図２】図２は、該カメラにおいて操作片を第２の位置に設定した状態を示す斜視図である。
【図３】図３は、フロントキャビネットの背面側の構成を示す斜視図である。
【図４】図４は、図３に対応する分解斜視図である。
【図５】図５は、フロントキャビネットの背面側の構成を示す背面図である。
【図６】図６は、図５のＡ−Ａ線に沿う拡大断面図である。
【図７】図７は、操作リングに対してクリック感を与えている状態を示す斜視図である。
【図８】図８は、操作リングに対してクリック感を与えていない状態を示す斜視図である。
【図９】図９は、操作リングに対してクリック感を与えている状態を図６と同じ向きに見た平面図である。
【図１０】図１０は、操作リングに対してクリック感を与えていない状態を図６と同じ向きに見た平面図である。
【発明を実施するための形態】
【００１５】
以下、本発明をカメラに実施した形態につき、図面に沿って具体的に説明する。
本発明の一実施形態であるカメラは、図１及び図２に示す如く、筐体(１)の前面に撮影レンズ(11)を具えると共に、筐体(１)の上面にシャッター釦(12)を具えている。
又、筐体(１)の前面には、撮影レンズ(11)を包囲して操作リング(２)が回転可能に配備されると共に、該操作リング(２)の回転操作に対するクリック感の付与をオン／オフする際に操作すべき操作片(３)が配備されている。
【００１６】
図１の如く操作片(３)をクリックオン位置に設定したときは、操作リング(２)の回転操作に対してクリック感が付与されると共に、該操作リング(２)の回転角度に応じて複数の調整値の中から１つの調整値を選択設定することが可能となる。
これに対し、図２の如く操作片(３)を時計方向に回転させて操作片(３)をクリックオフ位置に設定したときは、操作リング(２)の回転操作に対してクリック感は付与されず、該操作リング(２)の回転角度に応じた連続的なピント調節が可能となる。
【００１７】
図３及び図４に示す如く、前記筐体(１)を構成するフロントキャビネット(４)には前方へ突出する円筒部(41)が形成されており、該円筒部(41)の外周面に操作リング(２)が回転可能に係合している。操作リング(２)の背面には、操作リング(２)の回転軸を中心とする円周線に沿って、多数の凹部(21)が一定のピッチで凹設されている。
【００１８】
一方、図５及び図６に示す如く、フロントキャビネット(４)に形成された収容部(42)には、操作リング(２)の１つの凹部(21)に係脱すべきボール(７)が転動可能に収容されると共に、先端部に該ボール(７)を保持して該ボール(７)を凹部(21)側へ付勢すべき第１コイルバネ(61)が、操作リング(２)に対する接近離間方向へ往復移動が可能な状態で収容されている。
【００１９】
斯くして、操作リング(２)の多数の凹部(21)と、ボール(７)と、第１コイルバネ(61)とによって、操作リング(２)の回転に対してクリック感を与えるクリック感付与機構が構成される。
【００２０】
又、図４に示す如く、フロントキャビネット(４)の前面側には前記操作片(３)が配備されると共に、フロントキャビネット(４)の背面側には、操作片(３)と一体回転可能に連結される制御片(５)や、該制御片(５)の双方向の回転に対して付勢力を与える反転式のトーションスプリング(６)が配備されている。
【００２１】
操作片(３)は、円板部(31)と該円板部(31)に突設されたアーム部(32)とから構成され、円板部(31)の前面にはボタン(30)が装着される。
操作片(３)の円板部(31)は、フロントキャビネット(４)に開設された貫通孔(40)を通じて、背面側の制御片(５)と締結される。
【００２２】
制御片(５)は、操作片(３)の円板部(31)と締結されるべき円板部(51)と、該円板部(51)に突設された第１アーム部(52)及び第２アーム部(53)と、第２アーム部(53)の先端部から円周方向へ延びるカム部(54)とを具えている。
【００２３】
該カム部(54)には、操作リング(２)に向かってカム面(54a)が形成されており、該カム面(54a)は、操作片(３)のクリックオン位置(図７、図９)からクリックオフ位置(図８、図１０)への回転に伴って徐々に操作リング(２)から離れる方向に傾斜している。以下の説明では、カム面(54a)の内、操作リング(２)に最も近い領域を高位部、操作リング(２)から最も遠い領域を低位部という。
【００２４】
トーションスプリング(６)は、一方の端部がフロントキャビネット(４)に係止されると共に、他方の端部が制御片(５)の第１アーム部(52)に連結されており、操作片(３)をクリックオン位置からクリックオフ位置へ回転させる過程では、その前半に弾性変形し、その後半に弾性復帰して操作片(３)及び制御片(５)の回転を付勢する。又、操作片(３)を第２の位置から第１の位置へ回転させる過程では、その前半に弾性変形し、その後半に弾性復帰して操作片(３)及び制御片(５)の回転を付勢する。
【００２５】
前述のクリック感付与機構と制御片(５)のカム部(54)との間には可動駒(50)が介在し、該可動駒(50)は、図６に示す如くフロントキャビネット(４)の収容部(42)に、操作リング(２)に対する接近離間が可能に保持されている。
又、フロントキャビネット(４)の収容部(42)には第２コイルバネ(62)が収容されており、該第２コイルバネ(62)によって、可動駒(50)が操作リング(２)から離間する方向に付勢されている。
【００２６】
従って、図１の如く操作片(３)をクリックオン位置に設定した状態では、図７及び図９に示す如く、制御片(５)は操作リング(２)に向かって時計方向の回動端にあり、可動駒(50)は、制御片(５)のカム面(54a)の高位部に摺接している。
【００２７】
これによって可動駒(50)は、第２コイルバネ(62)に抗して、最も操作リング(２)に近い位置まで押し下げられており、該可動駒(50)によって第１コイルバネ(61)の基端部の位置が規定されるため、第１コイルバネ(61)は、操作リング(２)上のボール(７)と可動駒(50)との間で大きく弾性収縮し、その反発力によってボール(７)を操作リング(２)側へ付勢する。
【００２８】
従って、操作リング(２)を回転させると、ボール(７)が操作リング(２)の多数の凹部(21)に対して順次係脱し、その係脱によって操作リング(２)の回転に十分なクリック感が付与される。
【００２９】
操作片(３)をトーションスプリング(６)の付勢力に抗して、図１のクリックオン位置から図２のクリックオフ位置へ向けて時計方向に回転させると、これに伴って可動駒(50)が第２コイルバネ(62)より付勢されつつ制御片(５)のカム面(54a)上を相対的に摺動し、図７及び図９に示す第１の位置から図８及び図１０に示す第２の位置まで移動する。
【００３０】
図８及び図１０に示す如く、可動駒(50)が制御片(５)のカム面(54a)の低位部に摺接した状態では、可動駒(50)が操作リング(２)から離間することにより、第１コイルバネ(61)の基端部の位置が操作リング(２)から離間し、これによって第１コイルバネ(61)はボール(７)と可動駒(50)の間で弾性復帰し、自由状態となる。
【００３１】
この結果、第１コイルバネ(61)の先端部に保持されていたボール(７)は、第１コイルバネ(61)から付勢力を受けることなく、操作リング(２)の凹部(21)から離脱し、若しくは凹部(21)に対する係脱が抵抗なく行なわれる状態となる。
従って、操作リング(２)の回転にクリック感が付与されることはない。
【００３２】
斯くして、操作片(３)、制御片(５)及びトーションスプリング(６)によって、第１コイルバネ(61)によるボール(７)への付勢力を変化させて、操作リング(２)の回転に対するクリック感の付与をオン／オフする制御機構が構成される。
又、制御片(５)のカム部(54)と可動駒(50)によって、可動駒(50)をカムフォロワーとするカム機構が構成される。
【００３３】
上記のカメラによれば、操作片(３)をクリックオン位置とクリックオフ位置の２位置間で移動させるだけのワンタッチの操作で、操作リング(２)の回転に対するクリック感のオン／オフを切り換えることが出来る。
【００３４】
そして、操作片(３)のクリックオン位置では、例えば操作リング(２)を複数の調整値の中から１つの調整値を選択するために使用し、操作片(３)のクリックオフ位置では、例えば操作リング(２)をピント位置の調節のために使用することが出来る。この様に操作リング(２)を２つの用途に共用することにより、筐体(１)の小形化を図ることが可能となる。
【００３５】
尚、本発明の各部構成は上記実施の形態に限らず、特許請求の範囲に記載の技術的範囲内で種々の変形が可能である。例えば、制御機構を構成する第２コイルバネ(62)は省略することが可能である。この場合であっても、第１コイルバネ(61)の反発力によって可動駒(50)が操作リング(２)から離間し、第１コイルバネ(61)は自由状態まで弾性復帰することが可能となるので、操作リング(２)の回転に対するクリック感をオフとすることが出来る。
又、制御機構を構成するカム機構に替えて、リンク機構を採用することも可能である。
【符号の説明】
【００３６】
(４)  フロントキャビネット
(２)  操作リング
(21)  凹部
(７)  ボール
(61)  第１コイルバネ
(５)  制御片
(51)  円板部
(52)  第１アーム部
(53)  第２アーム部
(54)  カム部
(54a) カム面
(６)  トーションスプリング
(50)  可動駒
(62)  第２コイルバネ
【図１】
2014048350.tif 000003
【図２】
2014048350.tif 000004
【図３】
2014048350.tif 000005
【図４】
2014048350.tif 000006
【図５】
2014048350.tif 000007
【図６】
2014048350.tif 000008
【図７】
2014048350.tif 000009
【図８】
2014048350.tif 000010
【図９】
2014048350.tif 000011
【図１０】
2014048350.tif 000012